(57)【要約】【課題】周波数特性を維持しながら、ＥＳＤ保護能力を向上させる。【解決手段】同軸ケーブル１１０上に、同軸ケーブルの周波数特性を悪化させないように充分な距離（少なくとも約１ミリメータ）を空けて、少なくとも２つのスロット１５０及び１６０を形成する。グラウンド・シェル１３０と中心導体１２０の間に結合されたショットキー・ダイオードのようなＥＳＤ保護デバイスを、各スロット内に設ける。ダイオードの容量で、スロットが原因のケーブル１１０のインダクタンスのピークを正確に相殺すると共に、スロットの空洞共振周波数が最高測定周波数よりも高くなるようにスロットの大きさを形成する。【選択図】図３
2015162904.tif 000002
【特許請求の範囲】
【請求項１】
導電性の中心導体と、該中心導体を覆う絶縁材と、該絶縁材を覆う導電性のグラウンド・シェルとを有する同軸ケーブルと、
回路コンポーネントを有し、上記同軸ケーブルを通して伝送される１つ以上の信号に所定信号調整効果を与えるよう最適化された大きさ及び電気特性を有する第１スロットと、
第１スロットから少なくとも４０ミル離れて上記同軸ケーブルに形成される第２スロットと
を具えるモジュール式信号調整装置システム。
【請求項２】
導電性の中心導体と、該中心導体を覆う絶縁材と、該絶縁材を覆う導電性のグラウンド・シェルとを有する同軸ケーブルと、
互いに少なくとも４０ミル離して上記同軸ケーブルに形成され、上記グラウンド・シェルの第１及び第２部分が露出し、上記中心導体の一部が露出する第１スロット及び第２スロットと、
上記第１スロットに形成される第１静電気放電保護回路コンポーネントと、
上記第２スロットに形成される第２静電気放電保護回路コンポーネントと
を具える静電気放電保護回路。
【請求項３】
同軸ケーブル内に、該同軸ケーブル内の導電性コアの一部に達して露出させるように第１スロットを形成する処理と、
上記同軸ケーブル内に、上記第１スロットから少なくとも４０ミル離し、上記同軸ケーブル内の上記導電性コアの一部に達して露出させるように第２スロットを形成する処理と、
上記第１スロット内に第１静電気放電構造を形成する処理と、
上記第２スロット内に第２静電気放電構造を形成する処理と
を具える静電気放電保護回路形成方法。
【発明の詳細な説明】
【技術分野】
【０００１】
本発明は、静電気放電（ＥＳＤ）保護に関し、特に周波数特性を維持しつつ、ＥＳＤ保護デバイスを高周波数伝送ケーブル・システムに組み入れるためのＥＳＤ保護回路、関連するシステム及びＥＳＤ保護回路の形成方法に関する。
【背景技術】
【０００２】
静電気放電（ＥＳＤ）の発生によって損傷しやすい回路やシステムには、ＥＳＤ保護機能を設けることが重要である。例えば、試験装置と相対的に異なる電圧を有する被測定デバイス（ＤＵＴ）にプローブを接触させると、試験装置が損傷することがある。この損傷は、電流の急激な流れ、即ち、高い電圧差による放電が原因である。ＥＳＤによる損傷を防止するため、多くの試験システムでは、何らかの形態のＥＳＤ保護機能を有している。
【０００３】
ＥＳＤ保護形態の１つが、１対のショットキー・ダイオードを有するスロット付同軸ケーブル構造に見られる。図１は、そうしたデバイスの内部構造の概略を示している。半剛性同軸ケーブル１１０には、中心導体１２０と、絶縁材１４０で中心導体１２０から分離された電気導電性のグラウンド・シェル（外部導体）１３０とがある。一般に、絶縁材１４０は、テフロン（登録商標）から固形又は巻きテープのどちらかの形態で形成される。スロット（溝）１５０は、中心導体１２０の一部を露出するのに充分な深さで、ケーブル１１０中に形成される。そして、図２に示すように、１対のショットキー・ダイオード６２及び６４が、中心導体１２０及びグラウンド・シェル１３０の間に結合される。ショットキー・ダイオード６２及び６４は、ＥＳＤ発生時に、どちらの極性であっても電流を分流し、これによって、システムのコンポーネント間の電圧不均衡を防止し、もって、これらコンポーネントを保護する。
【０００４】
システムによっては、ＥＳＤ発生時に、図２のショットキー・ダイオードで可能な分流よりも、もっと多くの電流を分流する必要がある。この問題を解決するために、スロット１５０の幅を広げてもっと多数のダイオードを収納し、これらダイオードの全てが、それらの安全レンジ内で動作するようにしたものがあった。
【先行技術文献】
【特許文献】
【０００５】
【特許文献１】特開２０１３−２３２８９６号公報
【非特許文献】
【０００６】
【非特許文献１】「コネクタ」の記事、特に「2.92mm/Kコネクタ」について、Wikipedia、［オンライン］、［２０１５年２月２０日検索］、インターネット<http://ja.wikipedia.org/wiki/コネクタ>
【発明の概要】
【発明が解決しようとする課題】
【０００７】
しかし、スロット（溝）１５０を広げると、試験システムの性能が低下、特に、試験帯域内での周波数に関する測定性能が低下する。即ち、試験システムは、ＥＳＤの保護が不十分になるか、又は、正確に測定できる最高周波数が制限されるか、どちらかの問題で苦しむことになる。
【０００８】
本発明は、従来技術のこうした問題やその他の制約を解決しようとするものである。
【課題を解決するための手段】
【０００９】
本発明は、大まかに言えば、ＥＳＤ保護デバイスのような保護デバイスを半剛性高周波数伝送ケーブル・システムに組み入れる種々の技術に関する。具体的な実施形態には、中心導体、絶縁材及びグラウンド・シェルを有する同軸ケーブルに形成された少なくとも２つのスロットがある。第１スロット及び第２スロットは、互いに少なくとも４０ミル（約１ミリメータ）離れて、同軸ケーブルに形成される。第１スロットは、第１ＥＳＤ保護サブ回路を収容する一方で、第２スロットは、第２ＥＳＤ保護サブ回路を収容する。もっと多数のスロットを設けて、より多数の保護サブ回路を収容することで、同軸ケーブルに結合されたシステムを充分に保護するようにしても良い。
【００１０】
本願では、このデバイスを形成するための方法についても開示する。
【００１１】
本発明をいくつかの観点から述べれば、本発明の概念１は、モジュール式信号調整装置システムであって、
導電性の中心導体と、該中心導体を覆う絶縁材と、該絶縁材を覆う導電性のグラウンド・シェルとを有する同軸ケーブルと、
回路コンポーネントを有し、上記同軸ケーブルを通して伝送される１つ以上の信号に所定信号調整効果を与えるよう最適化された大きさ及び電気特性を有する第１スロットと、
第１スロットから少なくとも４０ミル（約１ミリメータ）離れて上記同軸ケーブルに形成される第２スロットと
を具えている。
【００１２】
本発明の概念２は、上記概念１のモジュール式信号調整装置システムであって、上記第２スロットが、上記同軸ケーブルを通して伝送される１つ以上の上記信号に第２所定信号調整効果を与えるよう最適化されている。
【００１３】
本発明の概念３は、上記概念２のモジュール式信号調整装置システムであって、上記第１スロットが第１タイプのコンポーネントを有し、上記第２スロットが第２タイプのコンポーネントを有している。
【００１４】
本発明の概念４は、上記概念２のモジュール式信号調整装置システムであって、上記第１スロットが上記第２スロットから電気的に独立している。
【００１５】
本発明の概念５は、上記概念２のモジュール式信号調整装置システムであって、このとき、上記第２スロットは、上記第１スロットを複製したものである。
【００１６】
本発明の概念６は、上記概念５のモジュール式信号調整装置システムであって、上記第１及び第２スロットが同じコンポーネントを有している。
【００１７】
本発明の概念７は、静電気放電（ＥＳＤ）保護回路であって、
導電性の中心導体と、該中心導体を覆う絶縁材と、該絶縁材を覆う導電性のグラウンド・シェルとを有する同軸ケーブルと、
互いに少なくとも４０ミル（約１ミリメータ）離して上記同軸ケーブルに形成され、上記グラウンド・シェルの第１及び第２部分が露出し、上記中心導体の一部が露出する第１スロット及び第２スロットと、
上記第１スロットに形成される第１ＥＳＤ保護回路コンポーネントと、
上記第２スロットに形成される第２ＥＳＤ保護回路コンポーネントと
を具えている。
【００１８】
本発明の概念８は、上記概念７の静電気放電（ＥＳＤ）保護回路であって、デバイス実装面を形成するために上記第１及び第２スロット内に付着（apply）させる材料を更に具えている。
【００１９】
本発明の概念９は、上記概念８の静電気放電（ＥＳＤ）保護回路であって、上記材料がニッケル金から構成される。
【００２０】
本発明の概念１０は、上記概念８の静電気放電（ＥＳＤ）保護回路であって、上記材料は、めっき処理によって付着される。
【００２１】
本発明の概念１１は、上記概念７の静電気放電（ＥＳＤ）保護回路であって、上記第１スロット及び上記第２スロットの周りに配置された導電性フィルムを更に有している。
【００２２】
本発明の概念１２は、上記概念７の静電気放電（ＥＳＤ）保護回路であって、
上記第１ＥＳＤ保護回路が
上記グラウンド・シェルに結合されたアノードと、上記中心導体に結合されたカソードを有する第１ショットキー・ダイオードと、
上記グラウンド・シェルに結合されたカソードと、上記中心導体に結合されたアノードを有する第２ショットキー・ダイオードと
を有している。
【００２３】
本発明の概念１３は、上記概念７の静電気放電（ＥＳＤ）保護回路であって、
上記第１ＥＳＤ保護回路が、
上記グラウンド・シェル及び上記中心導体間に結合された並列な複数ショットキー・ダイオードからなる第１セットと、
上記グラウンド・シェル及び上記中心導体間に結合された並列な複数ショットキー・ダイオードからなる第２セットと
を有している。
【００２４】
本発明の概念１４は、上記概念１３の静電気放電（ＥＳＤ）保護回路であって、このとき、上記ダイオードの第１セットが複数ダイオードの逆並列対であり、上記ダイオードの第２セットが複数ダイオードの逆並列対であることを特徴としている。
【００２５】
本発明の概念１５は、上記概念７の静電気放電（ＥＳＤ）保護回路であって、このとき、上記同軸ケーブルが少なくとも半剛性である。
【００２６】
本発明の概念１６は、静電気放電（ＥＳＤ）保護回路を形成する方法であって、
同軸ケーブル内に、該同軸ケーブル内の導電性コア（中心導体）の一部に達して露出させるように第１スロットを形成する処理と、
上記同軸ケーブル内に、上記第１スロットから少なくとも４０ミル（約１ミリメータ）離し、上記同軸ケーブル内の上記導電性コアの一部に達して露出させるように第２スロットを形成する処理と、
上記第１スロット内に第１ＥＳＤ構造を形成する処理と、
上記第２スロット内に第２ＥＳＤ構造を形成する処理と
を具えている。
【００２７】
本発明の概念１７は、上記概念１６の静電気放電（ＥＳＤ）保護回路を形成する方法であって、
少なくとも上記第１スロットを実質的に覆うように、上記同軸ケーブルの周りに導電性フィルムを付着させる処理を更に具えている。
【００２８】
本発明の概念１８は、上記概念１７の静電気放電（ＥＳＤ）保護回路を形成する方法であって、
上記第１スロットを形成する処理が、高速カッターで上記同軸ケーブルを切り出す処理を有している。
【００２９】
本発明の概念１９は、上記概念１６の静電気放電（ＥＳＤ）保護回路を形成する方法であって、
上記同軸ケーブル内に上記第１スロットを形成する処理が、約４０〜６０ミル（約１〜１．５ミリメータ）の幅のスロットを形成する処理を有している。
【００３０】
本発明の概念２０は、上記概念１６の静電気放電（ＥＳＤ）保護回路を形成する方法であって、
上記同軸ケーブル内に、上記第１スロットから少なくとも４０ミル（約１ミリメータ）離して上記第２スロットを形成する処理が、上記第１スロットから少なくとも１００ミル（約２.５ミリメータ）離して上記同軸ケーブル内に上記第２スロットを形成する処理を含んでいる。
【００３１】
本発明の概念２１は、上記概念１６の静電気放電（ＥＳＤ）保護回路を形成する方法であって、
上記導電性フィルムを付着させる処理が、ニッケル、金又は銅製の導電性フィルムを付着させる処理を含んでいる。
【００３２】
本発明の概念２２は、上記概念１６の静電気放電（ＥＳＤ）保護回路を形成する方法であって、上記第１スロット内に上記第１ＥＳＤ構造を形成する処理が、
上記同軸ケーブルの上記導電性コアと上記グラウンド・シェル間に第１ダイオードを挿入する処理と、
上記同軸ケーブルの上記導電性コアと上記グラウンド・シェル間に第２ダイオードを挿入する処理と
を有するサブ回路の形成処理を含んでいる。
【００３３】
本発明の概念２３は、上記概念１６の静電気放電（ＥＳＤ）保護回路を形成する方法であって、
上記第１スロットの形成が原因で生じる上記同軸ケーブルのインダクタンスのピークを、上記第１ＥＳＤ構造が有する容量でキャンセルするように、上記第１スロットの大きさを選択し、
上記第２スロットの形成が原因で生じる上記同軸ケーブルのインダクタンスのピークを、上記第２ＥＳＤ構造が有する容量でキャンセルするように、上記第２スロットの大きさを選択することを特徴としている。
【００３４】
本発明の概念２４は、上記概念１６の静電気放電（ＥＳＤ）保護回路を形成する方法であって、
上記第１スロット及び上記第２スロットの空洞共振周波数が、所望周波数よりも高くなるように上記第１スロット及び上記第２スロットの大きさが選択されることを特徴としている。
【図面の簡単な説明】
【００３５】
【図１】図１は、ＥＳＤ保護回路を含む従来のスロット付同軸ケーブルの例の斜視図である。
【図２】図２は、図１に示したケーブルにおける保護回路のブロック図である。
【図３】図３は、本発明の実施形態の例によるモジュール式ＥＳＤ保護システムを含む同軸ケーブルの斜視図である。
【図４】図４は、本発明の実施形態の例によるＥＳＤ保護システムのコンポーネントのブロック図である。
【図５】図５は、本発明の実施形態の例によるＥＳＤ保護システムを含むスロット付同軸ケーブルを組み立てる方法の例のフローチャートを示す。
【発明を実施するための形態】
【００３６】
本発明の実施形態は、大まかに言えば、信号を調整するために、半剛性高周波数伝送ケーブル・システムに複数のデバイス又はコンポーネントを組み入れる技術に関する。以下の例の多くは、電流を分流するショットキー・ダイオードをスロット内に実装してＥＳＤ保護機能を提供するＥＳＤ実施形態を参照して説明されるが、ショットキー・ダイオードの代わりに別のコンポーネントをスロット内に実装して、異なる作用を提供するようにしても良い。例えば、ショットキー・ダイオードではなくて、抵抗器、バリスタ、可変容量ダイオード（varactor：バラクタ）、ダイオードのようなコンポーネントをスロット内に実装して、本発明の実施形態が接続される測定回路への作用を変化させるようにしても良い。この意味で、本発明の実施形態は、信号調整装置システムを対象にしており、このとき、１つ以上のスロットは、結合される測定システムに対して所定の作用を与えるように最適化される。最適化したスロットは、モジュール方式の構造（必要な個別のモジュールを組み合わせる方式）として、互いに電気的に独立するように充分な間隔を空けて、同じ構造のものを複数設ける（重複させる）ようにしても良い。
【００３７】
図３に示すようなスロット付ケーブル構造は、大きなインピーダンスの乱れを生じさせることなく、ケーブルの中心導体（導電性コア）と直接接触する高容量性ＥＳＤ電流分流ショットキー・ダイオードを導入するのに、インダクタンスと容量をキャンセルする処理を利用する。図３に示すように、半剛性ケーブル１１０には、中心導体１２０に達するケーブルの少なくとも半分程度に及ぶスロット１５０がある。他の実施形態では、スロット１５０が、中心導体１２０に達するがケーブルの半分よりは短い（例えば、３分の１など）か、又は、半分よりも長いとしても良い。これによって、例えば、ニッケル（Ｎｉ）バリアと厚い金（Ａｕ）めっきに続いて、ショットキー・ダイオードを、半剛性同軸ケーブル１１０の周囲に対してあまり障害となることなく、この「コプレーナ導波路（Coplanar Waveguide）」である実装面に直接接合できる。別の実施形態では、スロット内に、ニッケル金を付着させる、例えば、めっきすることで、ダイオード用の電気的実装面を設けるようにしても良い。他の接合方法としては、ＥＳＤデバイスを実装するのに導電性エポキシを用いても良い。
【００３８】
スロット１５０が形成されると、このスロットの領域において、ケーブル１１０に非常に局所的なインダクタンスのピークが生じる。そこで、より良いＥＳＤのために、スロット内の擬似的なコプレーナ導波路（実装面）にショットキー・ダイオードを実装するときに、そのダイオードの容量で、スロットが原因のケーブル１１０のインダクタンスのピークを正確に相殺するように、スロット１５０の大きさを形成する。これによって、スロット１５０の形成が原因のケーブル１１０のインダクタンスのピークを補償し、ケーブルの信号伝達特性をなめらかに維持する。スロット１５０については、例えば、特許文献１に詳しい。
【００３９】
図３に示すように、本発明の実施形態には、ケーブル１１０に形成された第２スロット１６０がある。第２スロット１６０は、図２の第１スロット１５０に示したのと同様なやり方で、もう１組のショットキー・ダイオードのような、追加のコンポーネントを収容できる。第２スロット１６０は、第１スロット１５０から４０〜３００ミル（約１〜７.６ミリメータ）離れており、好ましくは、少なくとも約６０ミル（約１.５ミリメータ）離れているのが良い。このように間隔１７０を設けることで、これらスロットが測定回路において互いに干渉しないようにできる。スロットにショットキー・ダイオードを設ける実施形態では、これらスロット間の間隔として、少なくとも２００ミル（約５ミリメータ）空けるのが好ましいこともあろう。逆に、もし第２スロット１６０が第１スロット１５０の直ぐ近くにあると、言い換えると、実際的には、第１スロット１５０を広げて、スロット１６０用の追加のコンポーネントまで収容してしまうと、ケーブル１１０の性能は低下する。この性能低下は、ケーブル１１０の広いスロットの共振（resonance）と電力損失（power dissipation：ワット損）が原因であることが調査によりわかった。このとき、空洞共振の基本振動モードは、スロット空洞の物理的な最大寸法に逆比例するので、スロットのサイズが大きいほど、ケーブルの性能には悪い方向に作用する。即ち、スロットが広いほどスロット共振周波数は低くなり、このために、試験システム中の測定帯域内に入るまで下がってきて、干渉する可能性がある。
【００４０】
そこで、本発明の実施形態としては、モジュール式ケーブル・スロット構造がある。本発明の実施形態では、２つ以上のスロット１５０及び１６０が、ケーブル１１０に形成される。最初に、１つのスロットの大きさと特性が、そのスロット内に実装されるコンポーネントを収容するために最適化される。例えば、ＥＳＤ保護ダイオードを有する第１スロットが最適化されるが、このとき、スロット空洞の空洞共振周波数は、ユーザが同軸ケーブル１１０で測定のために伝送したい信号の所望周波数、例えば、２６〜５０ＧＨｚを超えるものである。即ち、ユーザが同軸ケーブル１１０で伝送させたい被測定信号の周波数特性には影響を与えないように、それを超える高い空洞共振周波数となるようにスロットの大きさが選択される。ある実施形態では、最適化したスロットは、１０〜６０ミル（約０．２５〜１．５ミリメータ）の幅があり、好ましくは、４０〜６０ミル（約１〜１．５ミリメータ）の幅がある。ある実施形態では、スロットは、直径約８６ミル（約２．１８ミリメータ）のケーブル１１０を、約４３ミル（約１．０９ミリメータ）の深さで切り出したものでも良い。他の大きさのケーブルでは、スロットの大きさと、スロット間の間隔は、それに応じて、適宜拡大又は縮小する。
【００４１】
次に、第１スロットの大きさを最適化した後、１つのスロット内に収まる以上か、又は、１つのスロット内に収納して最適化できる以上の、もっと多数のコンポーネントをケーブル１１０に取り付けることが望ましい場合には、追加のスロットを形成しても良く、これらスロットは、互いにある間隔を空けて設けられる。例えば、もしショットキー・ダイオードのＥＳＤ分流能力が低すぎて、充分なＥＳＤ保護にはもっと多数のダイオードが必要な場合には、追加のショットキー・ダイオードを収容するために、第２スロットを形成しても良い。これによって、１つのスロットには、所望のＥＳＤ保護における種々のレベルのものを収容することが可能になる。実施形態のなかには、３個、４個又はもっと多数のスロットを追加コンポーネントを収容するために用いても良く、このとき、各スロットは、互いに間隔を空けて設けられる。複数のスロットによって複数のショットキー・ダイオードを設けることで、ＥＳＤ発生時の保護機能は強化される。これは、異なるスロット中のダイオードのそれぞれが互いに並列に機能し、これによって、ＥＤＳ発生によって生じる全分流電流を分担できるからである。
【００４２】
最適化した各スロットを、隣接する最も近いスロットから少なくとも４０ミル（約１ミリメータ）以上離すことによって、複数のスロットを形成することで生じる悪影響が最小限になる。更に、複数のスロットを互いに干渉しない距離まで充分に離すことで、設計者は、異なるスロットそれぞれを個別に再度最適化することなく、追加のコンポーネントを追加できるモジュール式のコンポーネント実装システムを実現できる。
【００４３】
図４は、試験装置２１０に結合された本発明の実施形態によるＥＳＤデバイス２００のブロック図を示し、これは、試験装置２１０にＥＳＤ保護機能を提供する。ＥＳＤデバイス２００には、ハウジング２２０があり、これは、任意の適切な材料から形成できる。ある実施形態では、ハウジング２２０は、２つで１組（それぞれが半分を構成する）の空洞のあるアルミニウム製構造体（シェル）から形成される。ＥＳＤデバイスのコネクタ２３０は、ＥＳＤデバイスを試験装置２１０に結合する。より具体的には、コネクタ２３０は、２.９２ｍｍＲＦコネクタ（タイプＫコネクタ：非特許文献１参照）のような高周波コネクタであり、これは、試験装置２１０のサンプリング・ヘッド２１２の嵌合コネクタ（mating connector）２１６に結合される。ＥＳＤデバイスの反対端側のコネクタ２３２は、ケーブルに結合され、これは、更に、例えば、プローブやＤＵＴ（被測定デバイス）などに接続される。
【００４４】
ＥＳＤデバイス２００内にはケーブル部２４０があって、これは、例えば、１〜２インチ（約２.５４〜５センチメータ）の長さとしても良い。ケーブル部２４０にスロット２５０及び２６０が上述の如く形成され、ＥＳＤ保護のためのショットキー・ダイオードが、これも上述の如く設けられる。スロットの数は、ＥＳＤデバイス２００で必要とされるＥＳＤ保護の量に基づいて選択できる。スロット２５０及び２６０は、ケーブル部２４０のスロットのないサブ区間２４２によって互いに離されている。スロット２５０及び２６０間の距離２４６は、上述のように、少なくとも４０ミル（約１ミリメータ）としても良い。互いに間隔を設けた複数の追加スロットをケーブル部２４０に更に形成し、もっと多数のダイオードを収容するようにしても良い。
【００４５】
図５は、本発明の実施形態の例によるＥＳＤデバイスを製造する方法の例５００のフローチャートである。ステップ５０２では、２つ以上のスロットが離間した関係で半剛性同軸ケーブル内に形成される。スロットは、例えば、高速カッター又は極小径ダイヤモンド・ブレードを用いた標準的なフライス加工によって形成しても良い。いくつかの実施形態では、これらスロットは、少なくとも４０ミル（約１ミリメータ）互いに離間させる。
【００４６】
ステップ５０４では、オプションで、デバイス実装面を形成するための材料をスロット内に付着又は塗布等（apply）させる。上記材料は、例えば、金であり、デバイスを実装する方法は、ビーム・リード素子をサーマルソニック・ボンディングで行うか、又は、エポキシを利用して行っても良い。ステップ５０６では、保護デバイス（例えば、ＥＳＤダイオード）を、デバイス実装面に取り付ける。ステップ５０８では、金、銅又はニッケルのような導電性フィルムで、ケーブルの外面の周りを包み、導電性フィルムがスロット自身又はステップ５０４で付着させた材料の外向きの面をほぼ又は完全に覆うようにようにする。
【００４７】
ステップ５１０では、スロットと導電性フィルムを覆うように、ハウジングをケーブルに取り付けるか、又は、ケーブルと結合させる。このハウジングは、単体であるか、又は、互いにかみ合うように形成された複数の部分から構成されるとしても良い。
【００４８】
上述のように、本発明の実施形態としては、モジュール式信号調整装置システムがある。この信号調整システムには、同軸ケーブルがあり、これは、中心導体と、中心導体を覆う絶縁材と、絶縁材を覆うグラウンド・シェルとを有する。中心導体とグラウンド・シェルは、導電性である。同軸ケーブル内には、回路コンポーネントを有する第１スロットが形成される。第１スロットは、同軸ケーブルを通して伝わる１つ以上の信号に対して、所定の信号調整効果を与えるように、適切な大きさで形成され、最適化した電気特性を有する。この電気特性の最適化は、どのコンポーネントをスロット内に配置するかの選択する処理も含む。実施形態の中には、第１スロットから少なくとも４０ミル（約１ミリメータ）離して同軸ケーブルに形成される第２スロットのあるものもある。
【００４９】
第２スロットも、同軸ケーブルを通して伝わる１つ以上の信号に対して、所定の信号調整効果を与えるよう最適化される。例えば、第１所定信号調整効果を生成するように、１つ以上の第１コンポーネントが選択された第１スロットに配置され、第２所定信号調整効果を生成するように、１つ以上の第２コンポーネントが選択された第２スロットに配置される。こうしたコンポーネントとしては、例えば、抵抗器、バリスタ、可変容量ダイオード（varactor：バラクタ）、ダイオードなどがある。
【００５０】
別の実施形態では、第１所定信号調整効果を生成するように、第１タイプのコンポーネントの１つ以上が選択された第１スロットに配置され、第２スロットは、第１スロットを複製しても良い。
【００５１】
これら実施形態において、第１スロットは、第２スロットから電気的に独立なものにしても良い。
【００５２】
図示した実施形態を参照しながら本発明の原理を説明してきたが、こうした原理から離れることなく、図示した実施形態の構成や詳細を変更したり、望ましい形態に組み合わせても良いことが理解できよう。先の説明では、特定の実施形態に絞って説明しているが、別の構成も考えられる。特に、「本発明の実施形態によると」といった表現を本願では用いているが、こうした言い回しは、大まかに言って実施形態として可能であることを述べているに過ぎず、特定の実施形態の構成に限定することを意味するものではない。本願で用いているように、こうした用語は、別の実施形態に組み合わせ可能な同じ又は異なる実施形態を言及していると考えても良い。
【００５３】
従って、本願で説明した実施形態は、幅広く種々に組み合え可能であるとの観点から、詳細な説明や図面等は、単に説明の都合によるものに過ぎず、本発明の範囲を限定するものと考えるべきではない。
【符号の説明】
【００５４】
１１０  半剛性ケーブル
１２０  中心導体
１３０  電気導電性グラウンド・シェル
１４０  絶縁材
１５０  第１スロット
１６０  第２スロット
１７０  スロット間の距離
２００  ＥＳＤデバイス
２１０  試験装置
２１２  サンプリング・ヘッド
２１６  嵌合コネクタ
２２０  ハウジング
２３０  第１コネクタ
２３２  第２コネクタ
２４０  ケーブル部
２４２  スロット間の距離
２５０  第１スロット
２６０  第２スロット
【図１】
2015162904.tif 000003
【図２】
2015162904.tif 000004
【図３】
2015162904.tif 000005
【図４】
2015162904.tif 000006
【図５】
2015162904.tif 000007